(57)【要約】      （修正有）【課題】オーリングテストは、指の輪が開かなければ、調べたい薬や食べ物は、合っている、開けば合っていないことがわかるとされているが、これらの手段において、ビフォーアフターにおける客観的な数値化が困難なことから数値化し、オーリングテストの優れた有効性をしめす活用方法を提供する。【解決手段】オーリングテストの良否判定に基づき、ヒト唾液ＯＲＰ測定を活用することで、体内が酸化状態有意に作用するのか還元状態有意に作用するのかを、少量唾液で、乳幼児から高齢者、自分の意思を明確に伝えられない方々においても、客観的にオーリングテストで得られた結果を、ヒト唾液ＯＲＰを活用することで、痛みを伴わないオーリングテストとヒト唾液ＯＲＰ測定を組み入れた客観的な数値化判定は、オーリングテストの有効性を証明することにとどまらず、医療、社会生活の安全確保など、あらゆる場面での活用が期待できる。【選択図】図１
2015208666.tif 000002
【特許請求の範囲】
【請求項１】
少なくとも人間が行なうオーリングテストによって、オーリングテストを行なおうとする者が、左右いずれかの利き腕側の親指と、人差し指、中指、薬指、小指のいずれかの指とで合わせた輪を、第三者が両手の指先の力で輪を開こうとする行為によって、オーリングテストを試みる対象物を、指の輪を作る利き腕と反対の手のひらに乗せる、又は触れる、そして、握らせるなどをすることで、からだに合わない物を持つと、利き腕側の親指と他の指とを合わせた輪が開く、又は有効、適合な物を検地すると、しっかりと閉じられた状態となり、有効なもの、又は不適合なものを検地するオーリングテスト手段であり、このオーリングテストの有効性を化学的に検証するために、オーリングテストの良否判定の対象物は、薬、又は飲食物、化粧品、衣食住における日用品、家電製品、衣料品、室内及び屋外の空気、又は住宅環境下における室内空気において、オーリングテストの良否判定の結果として、有効、又は適合であると判定された製品と、不適合であると判定された製品と、これらのオーリングテストの良否判定対象物を用いて、ヒトの唾液ＯＲＰ測定を組み入れ数値化判定することを特徴とするオーリングテストを客観的に数値化証明する装置の活用方法。
【請求項２】
少なくとも人間が行なうオーリングテストによって、オーリングテストの良否判定の対象物は、東洋医学の基礎理論とする陰陽五行説を活用し、大宇宙の構成から成り立つ木、火、土、金、水の五行であり、臓器は肝臓、心臓、脾臓、肺臓、腎臓の五臓と、人間が刺激を感じる視覚、触覚、味覚、嗅覚、聴覚の五感と、感覚器官である目、舌、口、鼻、耳の五官と、味覚である酸っぱい、苦い、甘い、辛い、塩辛いの五味と五味を表す青、赤、黄、白、黒の五色となり、この五味、五色は人間が体調不良になったときの観察に利用され、木は、五臓は肝臓で、五感は視覚で、五官は目で、五味は酸っぱいとなり、五色は青となり、火は、五臓は心臓で、五感は味覚で、五官は舌で、五味は苦いとなり、五色は赤となり、土は、五臓は脾臓で、五感は触覚で、五官は口で、五味は甘いとなり、五色は黄となり、金は、五臓は肺臓で、五感は嗅覚で、五官は鼻で、五味は辛いとなり、五色は白となり、水は、五臓は腎臓で、五感は聴覚で、五官は耳で、五味は塩辛いとなり、五色は黒となり、これらの中の五味と五色を用いて、白い紙に木、火、土、金、水に示した五味をそれぞれ別々に包む、又は木、火、土、金、水に示した五色をそれぞれ別々に包む、オーリングテストを行なおうとする被験者の手のひらに乗せ軽く握らせ、五味は病気が求めているものに反応することになり、五色は病気と共鳴する共鳴現象を利用し、オーリングテストの共鳴現象があらわれた五味、又は五色にもとづいて、これらのオーリングテストの良否判定対象物を用いて、ヒトの唾液ＯＲＰ測定を組み入れ数値化判定することを特徴とするオーリングテストを客観的に数値化証明する装置の活用方法。
【請求項３】
少なくとも人間が行なうオーリングテストによって、オーリングテストの良否判定の対象物は、主食とするコメや小麦の食糧および食用に関する全部を指す食料であり、飲料水、果実搾りジュース、果実、野菜、魚介類、肉、調味料、柑橘類など、オーリングテストの良否判定の結果として、有効、又は適合であると判定された製品と、不適合であると判定された製品と、これらのオーリングテストの良否判定対象物を用いて、ヒトの唾液ＯＲＰ測定を組み入れ数値化判定することを特徴とする請求項１に記載のオーリングテストを客観的に数値化証明する装置の活用方法。
【請求項４】
少なくとも人間が行なうオーリングテストによって、オーリングテストの良否判定の対象物である食料が、オーリングテストの良否判定の結果として、有効、又は適合であると判定された食料であり、これらのオーリングテストの良否判定対象物を用いて、ヒトの唾液ＯＲＰ測定を組み入れ数値化判定し、人間のみならず家畜、動物、イヌ、猫などのペット類の食料に活用することを特徴とする請求項１、又は３に記載のオーリングテストを客観的に数値化証明する装置の活用方法。
【請求項５】
少なくとも人間が行なうオーリングテストによって、オーリングテストの良否判定の対象物は、市販での健康補助食品、又は栄養補助食品（サプリメント）と称される商品チェックを主とし、日常の生活習慣で摂取、又は愛用している各種商品をチェックするレシピであり、これらは、市販のアルコール飲料チェック（日本酒、ウイスキー、ワイン、ビール）であり、市販の食品のチェック（肉、魚貝、野菜、果実、野菜と果実ジュース、パン、加工菓子）など、市販の水産養殖業のチェック（魚類養殖、貝類養殖、藻類養殖）など、市販の食品製造業のチェック（畜産食料品、部分肉、冷凍肉、肉加工品、処理牛乳、乳飲料、乳製品）など、市販の水産食料品製造チェック（水産缶詰、瓶詰、海藻加工、水産練製品、塩干、塩蔵品、冷凍水産物、冷凍水産食品、野菜缶詰、果実缶詰）など、市販の農産保存食料品製造チェック（調味料、味そ、しょう油、食用アミノ酸、ソース、食酢、糖類製造業、砂糖）など、市販の小麦粉製造パン製造チェック（菓子、生菓子、ビスケット類、干菓子、米菓）など、市販の油脂製造チェック（農薬無使用の植物油、でんぷん、めん類、豆腐）など、市販の油揚製造チェック（あん類、冷凍調理食品、惣菜、すし、調理パン、レトルト食品）など、市販の飲料製造チェック（清涼飲料、酒類、果実酒、ビール類、清酒、蒸留酒、混成酒、茶、コーヒー製造、製氷）など、市販の各種茶葉チェック（緑茶、ほうじ茶、ウーロン茶、麦茶、ハーブ茶、大麦若葉茶）など、市販の飲料水チェック（清涼飲料水、天然水、電気分解水）など、市販の各種糖類チェック（蜂蜜、黒砂糖、白砂糖、ブドウ糖）など、市販の食品のチェック  ＺＥＯＬＩＴＥ（ゼオライト）微粉末溶解飲料など、市販の食品のチェック  海藻素材のスピルリナ、微粉末、又は顆粒など、市販の食品のチェック  マグネシウム、カルシウム、又はビタミンＤ顆粒など、市販の住まいの内装材チェック（畳イグサ、壁材、床材、構造材、天井材、浴槽材）など、市販の住まいの就寝各種ふとんおよびソフザー材質チェック、市販の各種衣類チェック（全身を覆う物、頭につける物、首に巻く物、手につける物、腰に巻く物、脚につける物、足につける物、防寒用衣類）など、市販の室内外で利用する履物チェック（各靴類、運動靴、長靴、スリッパ）など、市販の医薬品チェック（飲み薬、貼り薬、塗り薬）など、病院で処方された医薬品、又は市販の医薬品チェック（飲み薬、貼り薬、塗り薬、目薬）など、市販の化粧品チェック（洗顔料他のスキンケアー、口紅他のメイクアップ、シャンプー他のヘアケア、マニュキア他のネイルケアー、香水、石鹸、パウダー）など、これらのオーリングテストの良否判定対象物を用いて、ヒトの唾液ＯＲＰ測定を組み入れ数値化判定することを特徴とする請求項１、２又は３に記載のオーリングテストを客観的に数値化証明する装置の活用方法。
【請求項６】
少なくとも人間が行なうオーリングテストによって、オーリングテストを客観的に数値化証明する装置の活用手段は、カラーテレビ、コンピューターのカラーディスプレイ、パソコン、テレビ、携帯電話、スマートフォンなど各種デジタル液晶機器において、ヒト唾液ＯＲＰ測定する唾液、又は空気ＯＲＰ測定する純水液を接触させるセンサー部を備え、前記、デジタル機能にヒト唾液ＯＲＰ測定、又は空気ＯＲＰ測定機能機器にリセットする電源切り替えボタンを備え、携帯電話、スマートフォン、パソコン、テレビ、インターネット通信等の各種デジタル機能を介して、体内の酸化還元反応を、距離に関係なく遠隔地との相互確認に、ヒトの唾液ＯＲＰ測定を組み入れ数値化判定することを特徴とする請求項１、２、３、４又は５に記載のオーリングテストを客観的に数値化証明する装置の活用方法。
【発明の詳細な説明】
【技術分野】
【０００１】  本発明は、オーリングテストによる、からだに合わない物を持つと、利き腕側の親指と他の指とを合わせた輪が開く、又はしっかりと閉じられた状態となり適合なものを検地する手段を、ヒトの唾液ＯＲＰ測定手段を用いて、オーリングテストを客観的に数値化証明する装置の活用方法に関する。
【背景技術】
【０００２】  指が、人間のからだのなかでも、極めて敏感に反応する器官であることを利用して、利き腕側の親指と他の指とでアルファベッドのＯ（オー）の形の輪をつくり、利き腕側と反対の手に調べたい薬や食べ物を乗せるか、又は軽く握り、確認するため、パートナーの指で、オーの形の輪を広げるように引いてもらい、その結果として、指の輪が開かなければ、調べたい薬や食べ物は、あなたに合っている、開けば合っていないことがわかるのであるとされているが、これらの手段において、ビフォーアフターにおける客観的な数値化が困難なことから、オーリングテストの優れた有効性に懐疑的な判断をする人々が多いのが現状である。【０００３】  従来のオーリングテストでは唾液の酸化還元電位と併用した数値化判定の活用方法についての発想がなかったのである。なお、本発明の明細書で述べるヒト唾液ＯＲＰとは、ヒトの唾液を検体液として測定する酸化還元電位値（ｍＶ）のことを指すのである。
【先行技術文献】
【特許文献】
【０００４】  日本の特許文献１、当事者の周囲環境に存在するあるいは当事者が利用する薬、飲食物、装飾品、車両、対人関係等がどのように当事者に影響を与えるか判断する上で、当事者が単独で行い且つ客観的数値を基に判断が可能となるにオーリングテスト関する指挟圧比較測定器を提供している。【０００５】  日本の特許文献２、オーリングテストによる診断にあって被検者Ａを、写真、ビデオカメラ、テレビカメラ等で撮影し、写し出された被検者Ａに対してセンサーとなる第三者Ｂを介してテストを提供している。【０００６】  日本の特許文献３、バイデジタルＯ−リングテストとして、患者が服用した薬と手に持った薬が同じ物質で同じ量の場合にＯ−リングが開く傾向が最も顕著になり、どのように強い指でも簡単に開いてしまうが、他方、薬やその他の化学物質の種類によって異なりはするが、２つの同一物質間の量の比率を極端に変えると、反対にＯ−リングが強くなり開かなくなるという現象を見出した。この知見から、同じ物質間の共鳴現象を排除すれば、同じ薬が体内にあっても効く薬であればＯ−リングは開かないことが推定できることを提供している。【０００７】  前記特許文献１、２、３は、オーリングテストを各種手段でオーリングテストを提供しているのであり、薬、飲食物、装飾品、車両、対人関係等に関する判定がされたとしても、客観的に数値化証明することが困難となる。これらの問題を解決するためのヒト唾液ＯＲＰ測定手段を用いて、オーリングテスト方法の結果において選択されたビフオーアフターを客観的に数値化する意識は明記されてなく本発明とは技術的意図を異にする。【０００８】  オーリングテストの有効性については、ビフォーアフターにおける客観的な数値化が困難なことから、前述した通りオーリングテストの優れたテストに懐疑的な評価をされてしまうのが現状である。【０００９】
【特許文献１】特開２００５−１１８４８６号
【特許文献２】特開２００２−１９１５８４号
【特許文献３】特開平８−１１２２８７号
【００１０】  オーリングテストの良否判定の対象物は、東洋医学の基礎理論とする陰陽五行説を活用し、大宇宙を構成から成り立つ木、火、土、金、水の五行であり、臓器は肝臓、心臓、脾臓、肺臓、腎臓の五臓と、人間が刺激を感じる視覚、触覚、味覚、嗅覚、聴覚の五感と、感覚器官である目、舌、口、鼻、耳の五官と、味覚である酸っぱい、苦い、甘い、辛い、塩辛いの五味と五味を表す青、赤、黄、白、黒の五色となり、この五味、五色は人間が体調不良になったときの観察に利用され、木は、五臓は肝臓で、五感は視覚で、五官は目で、五味は酸っぱいとなり、五色は青となり、火は、五臓は心臓で、五感は味覚で、五官は舌で、五味は苦いとなり、五色は赤となり、土は、五臓は脾臓で、五感は触覚で、五官は口で、五味は甘いとなり、五色は黄となり、金は、五臓は肺臓で、五感は嗅覚で、五官は鼻で、五味は辛いとなり、五色は白となり、水は、五臓は腎臓で、五感は聴覚で、五官は耳で、五味は塩辛いとなり、五色は黒となり、これらの中の五味と五色を用いて、白い紙に木、火、土、金、水に示した五味をそれぞれ別々に包む、又は木、火、土、金、水に示した五色をそれぞれ別々に包む、オーリングテストを行なおうとする被験者の手のひらに乗せ軽く握らせ、五味は病気が求めているものに反応することになり、五色は病気と共鳴する共鳴現象を利用し、オーリングテストの共鳴現象があらわれた五味、又は五色にもとづいて、ヒトの唾液ＯＲＰ測定を組み入れ数値化判定することで、オーリングテストを客観的に数値化証明することとなる。
【発明の概要】
【発明が解決しようする課題】
【００１１】  従来においては、大村恵昭医博によって開発されたバイデジタルＯ−リングテスト（米国特許第５１８８１０７号）、身体の診断方法であって、日本においても複数の方々が、いろいろなオーリングテスト手段の特許出願をされている現状であり、患者の病歴や主訴を全く知らなくても、また高価な機械や器具を使用しなくても全身の臓器異常、循環障害や薬物に対する有効、毒性、更には食物の適性、毒性等を見つけ出せるものとしてバイデジタルＯ−リングテストがある。
【００１２】  本発明では、ヒトの唾液ＯＲＰ測定手段を用いて、オーリングテストの結果において選択されたビフオーアフターを客観的に数値化することに着眼したのである。
【００１３】  本発明のさらなる着眼点は、オーリングテストで得られた結果をもとに、明らかな毒性物は除き、患者への薬の有効性、飲食物の適合性で良好と判定された薬、又は飲食物、化粧品を、医療医現場の患者だけに限定せず、体調管理のための生活習慣において、体内に摂取前と摂取後のヒト唾液ＯＲＰにより、ビフオーアフターは、体内が酸化状態有意に作用するのか還元状態有意に作用するのかを、少量唾液で、乳幼児から高齢者、自分の意思を明確に伝えられないヒトにおいても、客観的にオーリングテストで得られた結果をヒト唾液ＯＲＰを活用することで客観的に数値化できることに着眼したのである。
【課題を解決するための手段】
【００１４】  本発明は、一般者を対象に、あらかじめオーリングテストをする前のヒト唾液ＯＲＰ測定で体内の酸化と還元反応を確認した後、オーリングテストをするまでもなく、明らかな毒性物は除き、薬局店で市販されている飲み薬、市販されている飲食物、化粧品、日用品、家電製品、衣料品、住宅環境下における室内において、オーリングテストで有効、又は適合であると判定された製品群と薬局店で市販されている飲み薬、市販されている飲食物、化粧品、日用品、家電製品、衣料品、住宅環境下における室内において、オーリングテストで不適合であると判定された製品群に区分けし、体内に摂取、又は唇や体の皮膚に塗る、触れる、見るなどの五感（視覚、聴覚、触覚、味覚、嗅覚）に感じた後の、ヒト唾液ＯＲＰを指標とする体内の酸化と還元反応を、数値化判定することにより、ビフオーアフターは、体内が酸化状態有意に作用するのか還元状態有意に作用するのかを、少量唾液で、乳幼児から高齢者、自分の意思を明確に伝えられないヒトにおいても、客観的にオーリングテストで得られた結果の有効性を証明できるようにしたのである。
【００１５】  本発明は、オーリングテストの良好と判定された薬、又は飲食物、化粧品にとどまらず衣食住における日用品、家電製品、衣料品、住宅環境下においてもオーリングテストの良否判定に基づき、ヒト唾液ＯＲＰ測定を活用し客観的に数値化判定できるようにしたのである。
【００１６】  本発明のオーリングテストを客観的に数値化証明する活用方法は、ヒト唾液ＯＲＰによって客観的に数値化判定を証明するために、表１、表２、表３、表４、表５、表６、表７、表８で示したのである。
【００１７】  上記目的を達成するために、本発明は（［請求項１］の構成要件）とでオーリングテストで得られた結果を、ヒト唾液ＯＲＰ数値化判定測定装置と活用方法を構成している。
【発明の効果】
【００１８】  以上の説明から明らかなように、本発明にあっては次に列挙する効果が得られる。  （１）（［請求項１］の構成要件）とで構成されているので、慢性疾患者および健常者とされる体調良好な人を、それぞれ対象にして、オーリングテストをするまでもなく、明らかな毒性物は除き、オーリングテストト前のヒト唾液ＯＲＰ測定と、オーリングテストで得られた結果のあと、薬の有効性、飲食物の適合性で良好と判定された薬、又は飲食物、化粧品にとどまらず、衣食住における日用品、家電製品、衣料品、住宅環境下においてもオーリングテストの良否判定に基づき、ヒト唾液ＯＲＰを活用することで、体内が酸化状態有意に作用するのか還元状態有意に作用するのかを、少量唾液で、乳幼児から高齢者、自分の意思を明確に伝えられないヒトにおいても、客観的にオーリングテストで得られた結果を、ヒト唾液ＯＲＰを活用することで客観的に数値化判定できるようにしたのである。
【００１９】  （２）前記（１）によってオーリングテストのビフォーアフターにおける客観的な数値化が困難なことから、オーリングテストの優れたテストに懐疑的な判断をする人々が多いのが現状である。この問題を解決することによって、侵襲的な痛みを伴わない、本来、ヒトが持っている潜在能力とヒト唾液ＯＲＰの化学的な数値化指標を組み合わせることでオーリングテストが有効な手段であることが証明できるのである。
【００２０】  （３）請求項２至る請求項６も前記（１）〜（２）と同様な本発明のオーリングテストを客観的に数値化証明する活用方法であり、体内がどのような状態で酸化状態にあるのかを具体的に示唆することでオーリングテストの有効性を化学的検地から照合できるのである。
【図面の簡単な説明】
【００２１】
【図１】本発明の図１は、オーリングテストを客観的に数値化証明する活用方法についての展開レシピであり、活用方法を示すフローチャートで、
【図２】は携帯電話などのデジタル機器でヒト唾液ＯＲＰ測定、又は空気ＯＲＰ測定機能を設けた図である。
【発明を実施するための形態】
【００２２】  本発明の図１は、オーリングテストの結果において良否判定された結果を客観的に数値化する活用方法を示すフローチャートである。図２は携帯電話などのデジタル機器でヒト唾液ＯＲＰ測定、又は空気ＯＲＰ測定機能を設けた図である。
【００２３】  図１について説明する。１はオーリングテスト前のヒト唾液ＯＲＰ測定スタートであり、２は薬の有効性、飲食物の適合性で良好と判定された薬、又は飲食物、化粧品にとどまらず、衣食住における日用品、家電製品、衣料品、住宅環境下において、オーリングテストの良否判定スタートであり、３は薬、飲食物、化粧品、日用品、家電製品、衣料品、住宅環境下において、オーリングテストで有効、又は適合であると判定された製品群であり、４は同じく飲食物、化粧品、日用品、家電製品、衣料品、住宅環境下において、オーリングテストで不適合であると判定された製品群であり、５はオーリングテストでのヒトの生体内には有効判定された製品群を、ヒトが体内に摂取、又は皮膚に塗る、触れる、見るなどの五感（視覚、聴覚、触覚、味覚、嗅覚）に感じた後の、ヒト唾液ＯＲＰを指標とする体内の酸化と還元反応を、数値化判定するのであり、６はオーリングテストでのヒトの生体内には不適合判定された製品群を、ヒトが体内に摂取、又は皮膚に塗る、触れる、見るなどの五感（視覚、聴覚、触覚、味覚、嗅覚）に感じた後の、ヒト唾液ＯＲＰを指標とする体内の酸化と還元反応を数値化判定するのであり、７はオーリングテストの判定に、ヒト唾液ＯＲＰ測定による数値化判定を組み入れ、客観的にオーリングテストの有効性を確認した後で、人間が動植物の衣食住における利用をスタートさせるのであり、８は携帯電話、スマートフォン、パソコン、テレビ、インターネット通信等の各種デジタル機能を介して体内の酸化と還元反応を、距離に関係なく遠隔地との相互確認に活用する。
【００２４】  図２について説明する。９は、デジタル機能の携帯電話であり、１０は携帯電話機能に、ヒト唾液ＯＲＰ測定、又は空気ＯＲＰ測定機能機器にリセットする電源切り替えボタンであり、１１は、液晶パネルで、１２は、携帯電話などのデジタル機器を持つ手、１３は、ヒト唾液ＯＲＰ測定する唾液、又は空気ＯＲＰ測定する純水液を接触させるセンサー部であり、図２に示した、１０および１３の各機能は、携帯電話に限定せず、パソコンやテレビ機器などにも応用できるのである（図示せず）。
【００２５】  本発明の実施例として、表１乃至表２、表３、表４、表５、表６、表７、表８について説明する。オーリングテストの有効性を立証するために用いたヒト唾液ＯＲＰ測定計は、本発明者が特許取得（特許第４１５４８８４号）で開発した唾液の酸化還元電位測定装置は、日本の厚生省認可の一般医療機器である酸化還元確認計「アラ！元気」を用いたのである。このことを踏まえ、携帯電話をはじめ、各デジタル機能を有する機器、パソコン、テレビ機器などでもオーリングテストの有効性を立証するためにヒト唾液ＯＲＰ機能を活用させるようにする。
【実施例１】
【００２６】  本発明の実施例として、表１について説明する。一般者を被験者としてオーリングテストの有効性を立証するために、パソコン使用で眼精疲労という被験者と足首を捻挫し痛い、又は胃もたれ症状の自覚症状を訴える３種類のケースの被験者を対象にした。眼精疲労、筋肉痛、関節痛、神経痛、手足のしびれに効果をあらわすとされる日本製の第３類医薬品、アリナミンＥＸプラス（ビタミンＢ１、Ｂ６、Ｂ１２の補給）とされている錠剤、そして、かぜの諸症状、せき、たん、のどの痛みに効果をあらわすとされる日本製の指定第２類医薬品、パブロンゴールドＡ、さらに、飲みすぎ、胸やけ、胃もたれに効果をあらわすとされる日本製の指定第３類医薬品、日野百草丸を使って検証したのである。【００２７】  引き続いて、表１の結果について説明する。目を酷使している被験者に、オーリングテストで有効と判定された日本製の第３類医薬品、アリナミンＥＸプラス（ビタミンＢ１、Ｂ６、Ｂ１２の補給）錠剤を飲む前と飲んだ後でのヒト唾液ＯＲＰは還元方向を示したのである。反対にオーリングテストでかぜ薬を必用としているのではないと不適合と判定された日本製の第２類医薬品、パブロンゴールドＡを使って目を酷使している被験者は、飲む前と飲んだ後でのヒト唾液ＯＲＰは酸化方向を示したのである。次に足首を捻挫し痛みを訴える被験者に、オーリングテストで有効と判定されたアリナミンＥＸプラス（ビタミンＢ１、Ｂ６、Ｂ１２の補給）錠剤を飲む前と飲んだ後でのヒト唾液ＯＲＰは還元方向を示したのである。さらに、足首を捻挫し痛みを訴える被験者に、オーリングテストで不適合と判定された日本製の第２類医薬品、パブロンゴールドＡの風邪薬を使って、足首を捻挫の被験者に飲む前と飲んだ後でのヒト唾液ＯＲＰは酸化方向を示したのである。つづいて、胃もたれを訴える被験者にオーリングテストで有効と判定された日本製の指定第３類医薬品、日野百草丸の胃薬を飲む前と飲んだ後でのヒト唾液ＯＲＰは還元方向を示したのである。さらに、胃もたれを訴える被験者にオーリングテストで不適合と判定された日本製の第２類医薬品、パブロンゴールドＡの風邪薬使って、飲む前と飲んだ後でのヒト唾液ＯＲＰは酸化方向を示したのである。このように３種類の被験者の症状で、オーリングテストで有効、又は不適合と判定された商品を体内摂取して、ヒト唾液ＯＲＰ測定で検証した結果は、表１で示されたようにオーリングテストの有効性が証明されたのである。
【実施例２】
【００２８】  さらに、本発明の実施例として、表２について説明する。一般者を被験者としてオーリングテストの有効性を立証するために、日常的に口紅、又はリップクリームを使用している女性および男性を被験者にした。本発明者の大友慶孝が特許取得した体内の生体液が還元作用を示す口紅組成物（特許第５２４６５５９号）試作の口紅を使用した場合と一般的に市販されている某メーカーの口紅を使って検証したのである。【００２９】  つづいて、表２の結果について説明する。被験者に、オーリングテストで有効と判定された体内の生体液が還元作用を示す口紅組成物（特許第５２４６５５９号）試作の口紅を使用した口紅を使う前と使った後でのヒト唾液ＯＲＰは還元方向を示したのである。反対に、オーリングテストで不適合と判定された一般的に市販されている某メーカーの口紅を使う前と使った後でのヒト唾液ＯＲＰは酸化方向を示したのである。
【実施例３】
【００３０】  さらに、本発明の実施例として、表３について説明する。一般者を被験者としてオーリングテストの有効性を立証するために、日常的に飲料する日本茶を飲んでいる女性および男性を被験者にした。市販されているラベル表示に記載された完全無農薬で栽培された茶葉と農薬使用の茶葉を使って検証したのである。【００３１】  引き続いて表３の結果について説明する。被験者に、オーリングテストで有効と判定された完全無農薬で栽培された茶葉でお茶を入れて飲む前と飲んだ後でのヒト唾液ＯＲＰは還元方向を示したのである。反対に、オーリングテストで不適合と判定された農薬使用の茶葉を飲む前と飲んだ後でのヒト唾液ＯＲＰは酸化方向を示したのである。
【実施例４】
【００３２】  さらに、本発明の実施例として、表４について説明する。一般者を被験者としてオーリングテストの有効性を立証するために２種類のミカンをスーパーで買い求め、ラベル表示に記載された完全無農薬栽培されたミカンと農薬散布で栽培されたミカンを使って検証したのである。【００３３】  引き続いて、表４の結果について説明する。被験者に、オーリングテストで有効と判定された完全無農薬で栽培されたミカンを食べる前と食べた後でのヒト唾液ＯＲＰは還元方向を示したのである。反対に、オーリングテストで不適合と判定された農薬散布で栽培されたミカンを食べる前と食べた後でのヒト唾液ＯＲＰは酸化方向を示したのである。
【実施例５】
【００３４】  つぎに、本発明の実施例として、表５について説明する。一般者を被験者としてオーリングテストの有効性を立証するために、２種類のレモンをスーパーで買い求め、ラベル表示に記載された日本で栽培された完全無農薬レモンと海外からの船便輸送中に酸化を防ぐために使用されている防腐剤散布された海外のレモンを使って検証したのである。【００３５】  表５の結果について説明する。被験者に、オーリングテストで有効と判定された日本で栽培された完全無農薬レモンを食べる前と食べた後でのヒト唾液ＯＲＰは還元方向を示したのである。反対に、オーリングテストで不適合と判定された船便輸送中に酸化を防ぐために使用されている防腐剤散布され運ばれた海外のレモンを食べる前と食べた後でのヒト唾液ＯＲＰは酸化方向を示したのである。
【実施例６】
【００３６】  つぎに、本発明の実施例として、表６について説明する。一般者を被験者としてオーリングテストの有効性を立証するために、高電圧の送電線の下に入らない被験者と高電圧の送電線の下に入った被験者に分けて検証したのである。【００３７】  さらに、表６の結果について説明する。被験者に、オーリングテストで高電圧の送電線の下に入らない被験者が体調良好と判定されたビフォーアフターのヒト唾液ＯＲＰは還元方向を示したのである。反対に、オーリングテストで不適合と判定された高電圧の送電線の下に入った被験者のビフォーアフターのヒト唾液ＯＲＰは酸化方向を示したのである。
【実施例７】
【００３８】  つぎに、本発明の実施例として、表７について説明する。一般者を被験者としてオーリングテストの有効性を立証するために、木々が茂る森林の中での空気の中と首都の幹線道路の渋滞のトンネル内の中での排気ガス空気環境下でのケースに分けて検証したのである。【００３９】  よって、表７の結果について説明する。被験者に、木々が茂る森林の中での空気を取り込むことが有効であると判定された被験者のビフォーアフターのヒト唾液ＯＲＰは還元方向を示したのである。反対に、渋滞のトンネル内の中での排気ガス空気環境下での空気を取り込むのがオーリングテストで不適合と判定された被験者のビフォーアフターのヒト唾液ＯＲＰは酸化方向を示したのである。
【実施例８】
【００４０】  つぎに、本発明の実施例として、表８について説明する。横浜市・金沢区の小児・内科：岡沢クリニック岡澤美江子医師の協力のもと、過労気味で来院の患者を被験者としてオーリングテストの有効性を立証するために、ビタミンＢ６、Ｂ１２を含むビタミン注射を選択する前のヒト唾液ＯＲＰ測定をする。つづいてビタミンＢ６、Ｂ１２を含むビタミン注射の有効性をオーリングテストで確認し、適合の有効判定とされたビタミンＢ６、Ｂ１２の注射をした後、再び、ヒト唾液ＯＲＰを測定する。さらに、オーリングテストで注射における体内の有効性を確認するのである。その時、オーリングテストでも注射後の有効判定を再度確認する。オーリングテストは、その人毎に利き腕の親指に対して、人差し指、中指、薬指、小指の順で、その人のオーリングテスト確認指を決める。例えば、親指と人差し指ではオーリングの指の輪が第三者が両手の指で開けようとしても閉じた状態で開かない、さらに、その下の親指と中指ではオーリングの指の輪が第三者が両手の指で開けようとすると開く場合は、開いてしまう指の輪のすぐ上の親指と人差し指が、その人のその時のオーリングテスト確認の基本の指の輪となる。親指と人差し指から徐々に小指に向かうほど、指の輪が弱くなるのである。この指の輪の強さは、衣食住における抗酸化食生活や住まい、衣類の自然素材の利用により、確認する指の輪は変わるので。その都度、確認指は、正確性をきするために確認することが必須である。【００４１】  よって、表８の結果について説明する。被験者である患者の検証前のヒト唾液ＯＲＰを測定しておいて、ビタミン注射の有効判定を、オーリングテストで確認し、適合と有効判定を受けた後、ビタミン注射をした直後のヒト唾液ＯＲＰを再度測定するとビフォーよりアフターは還元方向を示す。そして、再び、オーリングテストをすると、指の輪の強さのランクが上がっているのが確認できるのである。さらに、ヒト唾液ＯＲＰ注射３０分後において、ヒト唾液ＯＲＰは還元方向を６人とも示したのである。【００４２】  本発明の表１乃至表２、表３、表４、表５、表６、表７、表８に示す通り、オーリングテストの有効性が表１乃至表２のヒト唾液ＯＲＰ酸化還元電位（ｍＶ）が偶然に示唆されたのではなく、表３、表４、表５、表６、表７、表８においても同様にヒト唾液の酸化還元電位（ｍＶ）の経時変化を示し所期の目的を達成したのである。【表１】
2015208666.tif 000003
【表２】
2015208666.tif 000004
【表３】
2015208666.tif 000005
【表４】
2015208666.tif 000006
【表５】
2015208666.tif 000007
【表６】
2015208666.tif 000008
【表７】
2015208666.tif 000009
【表８】
2015208666.tif 000010
【産業上の利用可能性】
【００４３】  本発明は、オーリングテストの良否判定に基づき、ヒト唾液ＯＲＰ測定を活用することで、体内が酸化状態有意に作用するのか還元状態有意に作用するのかを、少量唾液で、乳幼児から高齢者、自分の意思を明確に伝えられない方々においても、客観的にオーリングテストで得られた結果を、ヒト唾液ＯＲＰを活用することで客観的に数値化判定できるようにしたのである。【００４４】  このことによって、客観的にオーリングテストの有効性を証明できることで、日常生活の上でオーリングテストとヒト唾液ＯＲＰ測定の組合わせで体内の酸化状態をリアルタイムにキャッチすることでアンチエイジ（未病治療）、病気にならないための身体作り、食育、又は生活習慣の早期対応、又改善によって、病気になってからの対処療法が増大する現状において医療費負担の削減に役立てようとするものであり、ヒトだけでなくオーリングテストとヒト唾液ＯＲＰの組合わせで、家畜などの動物に、与えようとする食料を触れさせて確認する活用も期待できるのである。
【符号の説明】
【００４５】１    オーリングテスト前のヒト唾液ＯＲＰ測定スタートを示す。２    薬の有効性、飲食物の適合性で良好と判定された薬、又は飲食物、化粧品にとどま      らず、衣食住における日用品、家電製品、衣料品、住宅環境下において、オーリン      グテストの良否判定スタートを示す。３    薬、飲食物、化粧品、日用品、家電製品、衣料品、住宅環境下において、オーリン      グテストで有効、又は適合であると判定された製品群。４    飲食物、化粧品、日用品、家電製品、衣料品、住宅環境下において、オーリングテ      ストで不適合であると判定された製品群。５    オーリングテストでのヒトの生体内には有効判定された製品群を、ヒトが体内に摂      取、又は皮膚に塗る、触れる、見るなどの五感（視覚、聴覚、触覚、味覚、嗅覚）      に感じた後の、ヒト唾液ＯＲＰを指標とする体内の酸化と還元反応を、数値化判定      する。６    オーリングテストでのヒトの生体内には不適合判定された製品群を、ヒトが体内に      摂取、又は皮膚に塗る、触れる、見るなどの五感（視覚、聴覚、触覚、味覚、嗅覚      ）に感じた後の、ヒト唾液ＯＲＰを指標とする体内の酸化と還元反応を、数値化判      定する。７    オーリングテストの判定に、ヒト唾液ＯＲＰ測定による数値化判定を組み入れ、客      観的にオーリングテストの有効性を確認した後で、人間が動植物の衣食住における      利用をスタートさせる。８    携帯電話、スマートフォン、パソコン、テレビ、インターネット通信等の各種デジ      タル機能を介して体内の酸化還元反応を距離に関係なく遠隔地との相互確認に活用      する。９    デジタル機能の携帯電話。１０  携帯電話機能に、ヒト唾液ＯＲＰ測定、又は空気ＯＲＰ測定機能機器にリセットす      る電源切り替えボタン。１１  液晶パネル。１２  携帯電話などのデジタル機器を持つ手。１３  ヒト唾液ＯＲＰ測定する唾液、又は空気ＯＲＰ測定する純水液を接触させるセンサ      ー部。
【図１】
2015208666.tif 000011
【図２】
2015208666.tif 000012